(57)【特許請求の範囲】
【請求項１】
水供給源に接続する送水管(29)に連結される配水部(40)と、並んで配設された複数の製氷部(U1)と、各製氷部(U1)の上部に相対して配設され、前記配水部(40)から供給された製氷水を相対する製氷部(U1)に向けて供給する複数の製氷水散水管(41)とを備えた製氷機の製氷水散水ユニットであって、
前記配水部(40)は、
前記複数の製氷水散水管(41)が並ぶ方向に延在し、該複数の製氷水散水管(41)が連設される分配管(60)と、
前記分配管(60)と略平行に延在すると共に前記送水管(29)が連結される水流入部(54)が設けられ、該水流入部(54)を介して内部に製氷水が流入するバッファ管(50)と、
前記バッファ管(50)の延在方向に離間して前記水流入部(54)からずれた部位に連設されると共に、前記分配管(60)における各製氷水散水管(41)との連設部位からずれた部位に連設され、バッファ管(50)と分配管(60)とを連通する複数の連結管(70)とを備え、
前記バッファ管(50)は、前記水流入部(54)に対する前記送水管(29)の連結方向と交差する方向に延在し、
前記連結管(70)は、前記バッファ管(50)の延在方向端部側に設けられると共に、前記分配管(60)における隣り合う製氷水散水管(41)の間に連設され、
前記水流入部(54)は、前記バッファ管(50)の延在方向中間に設けられている
ことを特徴とする製氷機の製氷水散水ユニット。
【発明の詳細な説明】
【技術分野】
【０００１】
この発明は、ポンプユニットからの送水管に連結される配水部と、複数の製氷部毎に該製氷部の上部に相対して配設されると共に前記配水部に連設され、該配水部から供給された製氷水を相対する製氷部に向けて供給する複数の散水管とを備えた製氷機の製氷水散水ユニットに関するものである。
【背景技術】
【０００２】
氷塊を自動的に製造する製氷機として、大量の氷塊を低コストで生成し得る流下式の製氷機が知られている。この製氷機Ｍは、図８に示すように、製氷機本体１０の内部上方に製氷室１１および機械室１２が画成されると共に、該製氷機本体１０の内部下方に貯氷室(図示せず)が画成されている。前記製氷室１１内の上方には、氷塊を生成する製氷ユニットＵが配設され、該製氷ユニットＵで生成した氷塊を貯氷室に放出落下するようになっている。
【０００３】
前記製氷ユニットＵは、図８に示すように、複数基(図８では３基)の製氷部Ｕ１が並列に配置されている。各製氷部Ｕ１は、図９に示すように、垂直または略垂直な縦向き姿勢で間隔をおいて相対する一対の製氷板２０,２０と、両製氷板２０,２０の間において両製氷板２０,２０の裏面に接触するよう蛇行状に配設された蒸発管２１とを備えている。また、相対する両製氷板２０,２０の上部には、該製氷板２０の表側に設けた製氷面２０Ａに製氷水を供給する製氷水散水ユニットＷ１の製氷水散水管２５が配設されると共に、相対する両製氷板２０,２０の裏面に除氷水を供給する除氷水供給ユニットＶの除氷水散水管２８が配設されている。なお、図８に示すように、製氷ユニットＵの下方には、製氷水を貯留する製氷水タンクＴが配設されると共に、製氷水タンクＴにおける製氷ユニットＵの真下からずれた部位には、製氷水散水ユニットＷ１に連結されて該製氷水タンクＴ内の製氷水を、該製氷水散水ユニットＷ１に供給するポンプ(図示せず)を備えたポンプユニットＰが配設されている。
【０００４】
前記製氷水散水ユニットＷ１は、図８および図９に示すように、ポンプユニットＰのポンプに接続された送水管２９の端部が連結される分配管２６と、この分配管２６に一端が連結されて各製氷部Ｕ１の上方に配設される前記製氷水散水管２５とを備えている。各製氷水散水管２５の下面には、製氷板２０の製氷面２０Ａへ製氷水を散水する散水孔２７が設けられている。従って、ポンプユニットＰにより送水管２９から供給される製氷水は、前記分配管２６内へ流入した後に各製氷水散水管２５へ適宜に分配され、各製氷水散水管２５に設けた散水孔２７を介して製氷板２０の製氷面２０Ａへ散水される。そして、製氷面２０Ａを伝って製氷水が流下する過程で、該製氷面２０Ａにおける前記蒸発管２１により冷却された部位において製氷水が徐々に氷化することで所定の製氷時間後に氷塊Ｓが生成される(図９参照)。なお、製氷面２０Ａで氷化しなかった製氷水は、前記製氷水タンクＴ内へ回収され、再び前記ポンプユニットＰにより製氷水散水ユニットＷ１へ供給される。このような製氷水散水ユニットＷ１を備えた製氷機は、特許文献１に開示されている。
【先行技術文献】
【特許文献】
【０００５】
【特許文献１】特開平７−３１０９６６号公報
【発明の概要】
【発明が解決しようとする課題】
【０００６】
ところで、図８および図９に示した従来の製氷水散水ユニットＷ１は、前記送水管２９が連結された分配管２６に各製氷水散水管２５が直接連結されているため、各製氷水散水管２５に対して均等に製氷水を供給できない問題を内在していた。すなわち前記製氷水散水ユニットＷ１では、中央に位置する製氷水散水管２５が分配管２６に連結する位置が、送水管２９が該分配管２６に連結する位置の略正面に位置しているため、該中央に位置する製氷水散水管２５には製氷水が供給され易く、該中央の製氷水散水管２５を挟んで両側に位置する各製氷水散水管２５には製氷水が供給され難くなり、よって各製氷水散水管２５毎に製氷水の供給量にバラツキが生ずる。しかも、製氷水タンクＴ内の製氷水は、ポンプユニットＰにより加圧された状態で送水管２９を介して分配管２６内へ圧送されるから、該分配管２６内において製氷水の水流に乱れが生じ、この乱れも各製氷水散水管２５へ製氷水が均等に供給されない原因となっている。このように、各製氷水散水管２５への製氷水の供給量にバラツキが生じた場合には、各々の製氷水散水管２５が配設された製氷部Ｕ１での氷塊Ｓの生成量にもバラツキが生じ、氷塊Ｓの生成効率が低下してしまう。
【０００７】
そこで本発明は、従来の製氷水散水ユニットに内在する前記問題に鑑み、これらを好適に解決するべく提案されたものであって、各製氷水散水管に対して均等に製氷水を供給し得るよう構成した製氷機の製氷水散水ユニットを提供することを目的とする。
【課題を解決するための手段】
【０００８】
前記課題を克服し、所期の目的を達成するため、本願の請求項１に記載の発明は、水供給源に接続する送水管に連結される配水部と、並んで配設された複数の製氷部と、各製氷部の上部に相対して配設され、前記配水部から供給された製氷水を相対する製氷部に向けて供給する複数の製氷水散水管とを備えた製氷機の製氷水散水ユニットであって、
前記配水部は、
前記複数の製氷水散水管が並ぶ方向に延在し、該複数の製氷水散水管が連設される分配管と、
前記分配管と略平行に延在すると共に前記送水管が連結される水流入部が設けられ、該水流入部を介して内部に製氷水が流入するバッファ管と、
前記バッファ管の延在方向に離間して前記水流入部からずれた部位に連設されると共に、前記分配管における各製氷水散水管との連設部位からずれた部位に連設され、バッファ管と分配管とを連通する複数の連結管とを備え、
前記バッファ管は、前記水流入部に対する前記送水管の連結方向と交差する方向に延在し、
前記連結管は、前記バッファ管の延在方向端部側に設けられると共に、前記分配管における隣り合う製氷水散水管の間に連設され、
前記水流入部は、前記バッファ管の延在方向中間に設けられていることを要旨とする。
【０００９】
従って、請求項１に係る発明によれば、製氷水散水ユニットの配水部が、複数の製氷水散水管が並ぶ方向に延在し、該複数の製氷水散水管が連設される分配管と、分配管と略平行に延在すると共に送水管が連結される水流入部が設けられたバッファ管と、バッファ管の延在方向に離間して水流入部からずれた部位に連設されると共に、分配管における各製氷水散水管との連設部位からずれた部位に連設され、バッファ管と分配管とを連通する複数の連結管とを備えたことにより、水供給源から送水管を介して圧送された製氷水が、バッファ管、連結管および分配管を通過する際に(製氷水散水管への供給前)に十分に減速、減勢させて安定した状態とすることができるから、該製氷水を各製氷水散水管へ均一かつ安定して供給することを可能とする。これにより、各製氷部に対して適切に製氷水が供給されるから、各製氷部における氷塊の生成の安定化および効率化を図り得る。しかも前記バッファ管は送水管の連結方向と交差する方向に延在しているから、送水管から供給される製氷水をバッファ管内において１次的に減速、減勢させることができる。更に前記連結管は、各連結管から分配管に移動した製氷水を、複数の製氷水散水管に対してスムーズかつ均等に分配することができる。また、送水管から供給された製氷水を前記バッファ管内で適切に減速、減勢させることができ、該製氷水を減速、減勢した状態で連結管へ移動させることができる。
【発明の効果】
【００１３】
本発明に係る製氷機の製氷水散水ユニットによれば、各製氷水散水管に対して均等に製氷水を供給することができる。
【図面の簡単な説明】
【００１４】
【図１】実施例の製氷水散水ユニットを下方から見た斜視図である。
【図２】実施例の製氷水散水ユニットが配設された製氷機の製氷機本体を示す概略斜視図である。
【図３】実施例の製氷水散水ユニットを配設した製氷ユニットの部分側面図である。
【図４】図３のIV−IV線断面図である。
【図５】(ａ)は、製氷水散水ユニットの要部平面図であり、(ｂ)は、製氷水散水ユニットの正面図である。
【図６】製氷水散水ユニットの要部側面図である。
【図７】散水管の要部拡大断面図である。
【図８】従来の製氷水散水ユニットが配設された製氷機の製氷機本体を示す概略斜視図である。
【図９】従来の製氷水散水ユニットを配設した製氷ユニットの部分側面図である。
【発明を実施するための形態】
【００１５】
次に、本発明に係る製氷機の製氷水散水ユニットにつき、好適な実施例を挙げて、添付図面を参照しながら以下説明する。なお実施例では、製氷機において製氷水散水ユニットに関連する部材、部位についてのみ説明し、図８および図９に既出の部材、部位と同一の部材、部位は同一の符号を付して説明する。なお実施例では、製氷水タンクを引出す方向(図２の左方)を製氷機の前側とし、前側から見た正面左側を製氷機の左側、正面右側を製氷機の右側とする。
【実施例】
【００１６】
図２は、製氷機Ｍの製氷機本体１０内における上部左側に画成された製氷室１１および上部右側に画成された機械室１２を、製氷機筐体および冷凍機構部等を省略して概略的に示した斜視図である。製氷室１１は、機械室１２との境界部に位置する右側壁部１３と、右側壁部１３と対向して製氷室１１の左側に位置する左側壁部１４と、右側壁部１３の後端および左側壁部１４の後端に夫々連設される後壁部１５と、右側壁部１３の前端および左側壁部１４の前端に夫々接合される前壁部１６と、製氷機本体１０を構成するアッパーパネル(図示省略)とにより、断熱箱体として構成されている。製氷室１１には、図３および図４に示すように、製氷ユニットＵ、製氷水散水ユニットＷおよび除氷水供給ユニットＶ等が配設される。また機械室１２は、前記右側壁部１３により製氷室１１と区画され、製氷機本体１０を構成する右サイドパネル、リアパネル、フロントパネルおよびアッパーパネル等(図示せず)により画成され、冷凍機構部を構成する圧縮機や凝縮器等が配設される。
【００１７】
製氷機本体１０には、製氷水タンクＴを機外へ引出し可能に収容するタンク収容部１７が、製氷室１１の下部から該製氷室１１と隣接する機械室１２の下部に亘り平面視において略Ｌ字形に画成されている。タンク収容部１７と機械室１２とは、ポンプユニット(水供給源)Ｐや製氷水量検知手段等を固定した区画壁であるユニット取付部材１８により完全に区分されるようになっている。
【００１８】
製氷水タンクＴは、図２に示すように、タンク収容部１７に整合して収容され得るサイズ・形状にされている。すなわち製氷水タンクＴは、前後方向に長い形状に形成された第１タンク部Ｔ１と、第１タンク部Ｔ１から右方向へ突出した第２タンク部Ｔ２とからなり、平面視において略Ｌ字形のバケット状となっている。そして、前記ポンプユニットＰが配設されたユニット取付部材１８が、第２タンク部Ｔ２の上部に載置した状態で取付けられている。ポンプユニットＰは、製氷水タンクＴ内に貯留された製氷水に浸漬されるポンプ(図示せず)と、このポンプを作動させるモータＰ１とを備え、ポンプには、製氷水散水ユニットＷに連結させる送水管２９が接続されている。
【００１９】
製氷ユニットＵは、図３および図４に示すように、基本的な構成は図９に示した従来の製氷ユニットＵと同じであり、複数基(実施例では３基)の製氷部Ｕ１が並んで配設されてユニット化されている。各製氷部Ｕ１は、垂直または略垂直な縦向き姿勢で間隔をおいて相対して配設された一対の製氷板２０,２０と、冷凍機構部における蒸発器を構成して両製氷板２０,２０の裏面に接触するよう蛇行状に配設された蒸発管２１とを備えている。また各製氷部Ｕ１は、相対する両製氷板２０の上端に沿うように配置され、両製氷板２０,２０の表側に設けた製氷面２０Ａに製氷水を供給する製氷水散水ユニットＷの製氷水散水管４１と、相対する両製氷板２０,２０の裏面に除氷水を供給する除氷水供給ユニットＶの除氷水散水管２８を備えている。従って、各製氷部Ｕ１においては、蒸発管２１内に冷却された熱媒体が通過することで該蒸発管２１が冷却され、この冷却された蒸発管２１により各製氷板２０の製氷面２０Ａが冷やした状態で、製氷水散水ユニットＷの製氷水散水管４１から散水された製氷水を該製氷面２０Ａに伝って流下させることで、半円形状の氷塊Ｓを生成し得るようになっている(図３、図４参照)。
【００２０】
実施例の製氷水散水ユニットＷは、図１〜図６に示すように、前記ポンプユニットＰからの送水管２９に連結される配水部４０と、縦向きに並んで配設された３基の前記製氷部Ｕ１の各々の上部に相対して配設されると共に前記配水部４０に連設され、該配水部４０から供給された製氷水を相対する製氷部Ｕ１に向けて散水する３個の製氷水散水管４１とを備えている。この製氷水散水ユニットＷは、ポリエチレン(ＰＥ)やポリプロピレン(ＰＰ)等の樹脂素材をブロー成形することで成形されたもので、前記配水部４０および各製氷水散水管４１が一体となった中空部材である。
【００２１】
配水部４０は、図１〜図３および図５に示すように、前記３個の製氷水散水管４１が並ぶ方向(左右方向)に延在し、各製氷水散水管４１が連設される分配管６０と、この分配管６０と略平行に延在すると共に前記送水管２９が連結されるバッファ管５０と、バッファ管５０および分配管６０の夫々に連設されて両管５０,６０を連通する連結管７０,７０とを備えている。これにより配水部４０では、送水管２９から供給された製氷水を、先ずバッファ管５０内に流入させ、このバッファ管５０内を移動させて各連結管７０,７０へ流入させ、各連結管７０,７０から分配管６０へ移動させた後に、各製氷水散水管４１内へ供給するよう構成されている。
【００２２】
バッファ管５０は、図１、図２、図５(ａ)および図５(ｂ)に示すように、左右方向に長い細長の円筒状に形成された中空管状部であって、その軸心が左右方向へ水平に延在するように形成されている。バッファ管５０は、円筒状をなす周壁部５１と、周壁部５１の左縁に連設されて内面が右方を指向するように形成された左側壁部５２と、該周壁部５１の右縁に連設されて内面が左方を指向するように形成された右側壁部５３とを有し、周壁部５１は上下中央より下側に位置する下周壁部５１Ａおよび上側に位置する上周壁部５１Ｂに便宜上区分されている。そして、バッファ管５０の下周壁部５１Ａにおける左右中央には、前記ポンプユニットＰのポンプに接続された送水管２９の出口端部が連結される水流入部５４が、垂直下方へ突出した状態で形成されており、該送水管２９は略垂直に立ち上がった状態で該水流入部５４に連結されるようになっている。すなわちバッファ管５０は、略垂直下方から連結される送水管２９の連結方向と交差するように延在している。
【００２３】
分配管６０は、図１、図２、図５(ａ)および図５(ｂ)に示すように、左右方向に長い角筒状に形成された中空管状部であって、その軸心が左右方向へ水平に延在するように形成され、前記バッファ管５０の後側上方において該バッファ管５０と平行となっている。分配管６０は、上壁部６１、下壁部６２、前壁部６３および後壁部６４とを有し、上壁部６１、下壁部６２および後壁部６４は平坦状に形成され、前壁部６３は両端部が緩やかに湾曲している。そして、分配管６０の前壁部６３における左湾曲部に隣接した部位および右湾曲部に隣接した部位には、各連結管７０,７０の上部が夫々連設されている。また、分配管６０の後壁部６４における左右両端および左右中央には、前後方向へ水平に延在する前記３個の各製氷水散水管４１の前部が夫々連設されており、該分配管６０の内部と各製氷水散水管４１の内部とが空間的に連通している。
【００２４】
図１、図５および図６に示すように、左右に離間した２つの連結管７０,７０のうち左側の連結管７０は、角筒状に形成されて、その下部がバッファ管５０の上周壁部５１Ｂにおける左縁に隣接した部位に連設されると共に、上部が分配管６０の前壁部６３における左湾曲部に隣接した部位に連設されており、バッファ管５０側から分配管６０側に近づくにつれて右方および後方の夫々に傾斜した状態に形成されている。また右側の連結管７０は、左側の連結管７０と左右対称の角筒状に形成されて、その下部がバッファ管５０の上周壁部５１Ｂにおける右縁に隣接した部位に連設されると共に、上部が分配管６０の前壁部６３における右湾曲部に隣接した部位に連設されており、バッファ管５０側から分配管６０側に近づくにつれて左方および後方の夫々に傾斜した状態に形成されている。すなわち、左右各連結管７０,７０の延在方向は、バッファ管５０の延在方向と交差し、かつ分配管６０の延在方向とも交差している。
【００２５】
そして、左右の各連結管７０,７０のバッファ管５０との連設部分は、図５(ａ)および図５(ｂ)に示すように、該バッファ管５０の上周壁部５１Ｂにおいて前記送水管２９が連結される水流入部５４と相対する部位からずれた部位に設けられている。また、左右の各連結管７０,７０の分配管６０との連設部分は、該分配管６０の後壁部６４において前記各製氷水散水管４１が連設される部位からずれた部位に設けられている。すなわち、左側の連結管７０における分配管６０との連設部分は、該分配管６０における左側の製氷水散水管４１と中間の製氷水散水管４１との間の後壁部６４に相対しており、右側の連結管７０における分配管６０との連設部分は、該分配管６０における中間の製氷水散水管４１と右側の製氷水散水管４１との間の後壁部６４に相対している。
【００２６】
従って、実施例の製氷水散水ユニットＷにおける配水部４０では、図５(ａ)および図５(ｂ)に示すように、ポンプユニットＰにより送水管２９を介して圧送された製氷水を、水流入部５４と上下方向(送水管２９の連結方向)で相対する上周壁部５１Ｂの左右方向の中間部位に一端衝突させた後に、バッファ管５０内を軸方向両側へ適宜分岐して移動させることで、該バッファ管５０内で製氷水を減速、減勢させ得るよう構成されている。また配水部４０では、バッファ管５０内を左方向へ移動した製氷水を、該バッファ管５０の左側壁部５２に衝突させて更に減速、減勢した状態で左側の連結管７０内へ移動させると共に、該左側の連結管７０内を上方へ移動させて分配管６０の後壁部６４に向かうようにすることで、該製氷水が該分配管６０内から左側の製氷水散水管４１および中間の製氷水散水管４１へ安定的に供給されるように構成されている。更に配水部４０では、バッファ管５０内を右方向へ移動した製氷水を、該バッファ管５０の右側壁部５３に衝突させて更に減速、減勢した状態で右側の連結管７０内へ移動させると共に、該右側の連結管７０内を上方へ移動させて分配管６０の後壁部６４に向かうようにすることで、該製氷水が該分配管６０内から中間の製氷水散水管４１および右側の製氷水散水管４１へ安定的に供給されるように構成されている。
【００２７】
前記左側の製氷水散水管４１、中間の製氷水散水管４１および右側の製氷水散水管４１は、図１〜図３に示すように何れも同じ構成となっており、同一部位には同一符号を付して説明する。各製氷水散水管４１は、製氷部Ｕ１の前後方向の長さに合わせて前後方向へ長尺な角筒状に形成され、上壁部４２、下壁部４３および左右の側壁部４４,４４からなり、上壁部４２および下壁部４３は後方へ水平に延在していると共に、左右の側壁部４４,４４は平行に延在している。下壁部４３の左右方向の中央には、前後方向へ延在する溝状の嵌凹部４５が形成され、該嵌凹部４５を挟んだ左右両側には、前後方向へ所要間隔毎に離間して複数の散水孔４６が形成されている。各散水孔４６は、図３および図４に示すように、対応する製氷部Ｕ１における各製氷板２０,２０の製氷面２０Ａに対応して設けられている。
【００２８】
また、下壁部４３における各散水孔４６を囲む部位には、図１、図５〜図７に示すように、下方へ突出した円形ボス状の凸部４７が形成されており、各散水孔４６は対応する凸部４７の下面中央に開口している。従って、散水孔４６の出口開口が、下壁部４３の外面より下方へ突出しているため、該散水孔４６から流出した製氷水は、凸部４７の下面から製氷板２０に迅速に落下するようになり、該製氷水が下壁部４３の外面に伝って後方へ移動することが防止されるようになっている。
【００２９】
前述のように構成された製氷水散水ユニットＷを備えた実施例の製氷機Ｍでは、製氷ユニットＵでの除氷運転時に、各製氷部Ｕ１の製氷板２０の裏側へ除氷水供給ユニットＶを介して外部から水道水が除氷水として供給され、供給された水道水は製氷水タンクＴに回収されて製氷運転時の製氷水として貯留される。そして、ポンプユニットＰのモータＰ１を作動させることで、ポンプから吐出された製氷水タンクＴ内の製氷水が、送水管２９を介して製氷水散水ユニットＷに向けて圧送される。
【００３０】
製氷水散水ユニットＷにおける配水部４０では、図５(ａ)および図５(ｂ)に示すように、ポンプユニットＰから送水管２９を介して圧送された製氷水が、バッファ管５０内の上周壁部５１Ｂに衝突して左右に分かれることで、このバッファ管５０内において該製氷水が１次的に減速、減勢される。そして、バッファ管５０内を左方向へ移動した製氷水は、該バッファ管５０の左側壁部５２に衝突した後に左側の連結管７０内へ移動することで、２次的に減速、減勢されて分配管６０内へ安定した状態で移動する。一方、バッファ管５０内を右方向へ移動した製氷水は、該バッファ管５０の右側壁部５３に衝突した後に右側の連結管７０内へ移動することで、２次的に減速、減勢されて分配管６０内へ安定した状態で移動する。そして、左右の各連結管７０を介してポンプの影響を殆ど受けない安定した状態で分配管６０内へ移動した製氷水は、左側の製氷水散水管４１、中間の製氷水散水管４１および右側の製氷水散水管４１の夫々へ均等に分配される。これにより各製氷水散水管４１では、各散水孔４６から製氷水が均等に注出するようになる。
【００３１】
前述のように構成された実施例の製氷水散水ユニットＷでは、バッファ管５０の延在方向が、水流入部５４に接続された送水管２９の連結方向と交差する方向となっているから、バッファ管５０内においての製氷水の１次的な減速、減勢を図ることができる。また、左側の連結管７０の延在方向および右側の連結管７０の延在方向がバッファ管５０の延在方向と交差していると共に、左側の連結管７０および右側の連結管７０のバッファ管５０に対する連設位置が該バッファ管５０に対する送水管２９の連結位置とずれているので、該送水管２９から圧送された製氷水が各連結管７０,７０へそのまま移動することが回避され、製氷水がバッファ管５０から各連結管７０,７０へ移動する際にも、該製氷水の減速、減勢が図られる。更に、左側の連結管７０の延在方向および右側の連結管７０の延在方向が分配管６０の延在方向と交差していると共に、左側の連結管７０および右側の連結管７０の分配管６０に対する連結位置が該分配管６０に対する各製氷水散水管４１の連結位置からずれているので、該連結管７０,７０から分配管６０へ移動した製氷水がそのまま各製氷水散水管４１へ移動することも回避され、製氷水は各連結管７０,７０から分配管６０へ移動する際にも更に安定化が図られる。
【００３２】
従って、製氷水散水ユニットＷの配水部４０が、送水管２９が連結されるバッファ管５０と、各製氷水散水管４１が連設される分配管６０と、バッファ管５０および分配管６０に夫々連設される連結管７０,７０とを備えたことにより、ポンプユニットＰにより圧送された製氷水を、各製氷水散水管４１への供給前に十分に減速、減勢させて安定した状態とすることができるから、該製氷水を各製氷水散水管４１へ均一かつ安定して供給することを可能とする。これにより、製氷ユニットＵの各製氷部Ｕ１に対して適切に製氷水が供給されるから、該製氷ユニットＵにおける氷塊Ｓの生成の安定化および効率化を図り得る。
【００３３】
また、実施例の製氷水散水ユニットＷでは、連結管７０,７０の配設数がポンプユニットＰに接続された１本の送水管２９よりも多い２本とし、各製氷水散水管４１の配設数が連結管７０,７０より多い３個に構成したので、ポンプユニットＰから供給された製氷水が、配水部４０内をスムーズに移動して各製氷水散水管４１へ均等に供給されるようにすることができる。
【００３４】
更に、実施例の製氷水散水ユニットＷでは、配水部４０および各製氷水散水管４１が合成樹脂製の一体成形部材として構成されるから、配水部４０におけるバッファ管５０と各連結管７０,７０との連設部分および各連結管７０,７０と分配管６０との連設部分や、分配管６０と各製氷水散水管４１との連設部分等から製氷水が漏れ出ることを好適に防止することができる。しかも、配水部４０および各製氷水散水管４１が一体成形されているので、部品点数を減らすことができると共に組立作業工数を減らすことができ、軽量化や製造コスト低減が可能である。
【００３５】
(変更例)
（１）実施例では、３個の製氷水散水管４１を備えた製氷水散水ユニットＷを例示したが、製氷水散水管４１の配設数はこれに限定されず、製氷ユニットＵの製氷部Ｕ１の配設数に応じて２個または４個以上であってもよい。なお、製氷水散水管４１の配設数が４個の場合は、前記連結管７０の配設数は３個としてもよい。
（２）配水部４０におけるバッファ管５０は、円筒形状に限らず角筒形状であってもよく、分配管６０は角筒形状に限らず円筒形状であってもよい。
（３）水供給源は、ポンプユニットＰに限定されず、外部水道源であってもよい。
（４）実施例では流下式の製氷機を例示したが、製氷機は流下式に限定されるものではない。
【符号の説明】
【００３６】
２９ 送水管，４０ 配水部，４１ 製氷水散水管，５０ バッファ管，５４ 水流入部，
６０ 分配管，７０ 連結管，Ｕ１ 製氷部
【図１】
0005722097.tif 000002
【図２】
0005722097.tif 000003
【図３】
0005722097.tif 000004
【図４】
0005722097.tif 000005
【図５】
0005722097.tif 000006
【図６】
0005722097.tif 000007
【図７】
0005722097.tif 000008
【図８】
0005722097.tif 000009
【図９】
0005722097.tif 000010